(57)【要約】【課題】安定的に再生対象である光ディスクの再生を行う。【解決手段】ディスクプレイヤ１００のＤＳＰ３２は、フォーカシングエラー信号ＦＥ１及び全加算信号ＡＳ１を取得する第１信号取得部３２１と、取得された信号に基づいて再生する対象の光ディスクの種別を判定する種別判定部３２２と、引き込み条件を設定する引き込み設定部３２６と、判定された種別に対応するＬＤを照射して引き込み条件の設定に必要な信号を取得するべくサーチ動作を行う第２信号取得部３２３と、必要な信号が取得されたか否かを判定する信号判定部３２４と、必要な信号が取得されていないと判定された場合に引き込み設定部３２６に対して第１信号取得部３２１によって取得された信号に基づいて設定を行わせる設定制御部３２５と、設定された条件に基づいて再生する対象の光ディスクを再生する再生実行部３２９と、を備えている。【選択図】図２
2008165944.tif 000002
【特許請求の範囲】
【請求項１】
ＣＤ（Ｃｏｍｐａｃｔ  Ｄｉｓｋ）に格納された情報を読み取るレーザ光を照射するＣＤ用光源、及び、ＤＶＤ（Ｄｉｇｉｔａｌ  Ｖｅｒｓａｔｉｌｅ  Ｄｉｓｋ）に格納された情報を読み取るレーザ光を照射するＤＶＤ用光源と、再生する対象の光ディスクからの反射光を電気信号に変換するピックアップと、を備え、ＣＤ又はＤＶＤに格納された情報を読み出して再生する光ディスク再生装置であって、
前記ＣＤ用光源及びＤＶＤ用光源をそれぞれ再生する対象の光ディスクに照射して、再生対象の光ディスクにおける記録面の位置に対する光源からの照射光の焦点位置のズレ量を示すフォーカシングエラー信号、及び、前記ピックアップで取得された全ての反射光に対応する電気信号の総和である全加算信号をそれぞれ取得する第１信号取得手段と、
前記第１信号取得手段によって取得されたフォーカシングエラー信号及び全加算信号に基づいて、再生する対象の光ディスクの種別を判定する種別判定手段と、
再生する対象の光ディスクを再生するために、フォーカスをオンする条件である引き込み条件を設定する引き込み設定手段と、
再生する対象の光ディスクを再生するために、前記フォーカシングエラー信号の最大値と最小値との絶対値を略一致させるべくゲインを設定するバランス設定手段と、
再生する対象の光ディスクを再生するために、前記全加算信号のゲインを設定するゲイン設定手段と、
前記種別判定手段によって判別された種別に対応する光源を照射して、前記引き込み設定手段による設定に必要な信号を取得するべく前記ピックアップに対してサーチ動作を行わせる第２信号取得手段と、
前記第２信号取得手段によって必要な信号が取得されたか否かを判定する信号判定手段と、
前記信号判定手段によって信号が取得されていないと判定された場合に、前記引き込み設定手段、バランス設定手段、及び、ゲイン設定手段に対して、前記第１信号取得手段によって取得された信号に基づいて設定を行わせる設定制御手段と、
前記設定制御手段によって設定された条件に基づいて、再生する対象の光ディスクを再生する再生実行手段と、
を備え、
前記種別判定手段は、前記第１信号取得手段によって取得されたフォーカシングエラー信号の最大値と最小値との差である第１ＦＥ振幅値及び全加算信号の最大値と最小値との差である第１ＡＳ振幅値に基づいて再生する対象の光ディスクの種別を判定し、
前記信号判定手段は、前記第２信号取得手段によって取得されたフォーカシングエラー信号の最大値と最小値との差である第２ＦＥ振幅値が、前記第１ＦＥ振幅値の予め設定された所定数倍以上であるか否かに基づいて、必要な信号が取得されたか否かを判定し、
前記引き込み設定手段は、引き込み条件として、
前記フォーカシングエラー信号が、前記第１ＦＥ振幅値の予め設定された所定数倍以上であり、且つ、前記全加算信号が、前記第１信号取得手段によって取得された前記全加算信号の最大値の予め設定された第１の所定数倍以上であるとの第１条件と、
前記フォーカシングエラー信号が、予め設定された所定の閾値未満であり、且つ、前記全加算信号が、前記第１信号取得手段によって取得された前記全加算信号の最大値の予め設定された、前記第１の所定数未満の第２の所定数倍以上である第２条件と、
を設定し、
前記ゲイン設定手段は、前記第１ＡＳ振幅値に基づいて前記全加算信号のゲインを設定することを特徴とする光ディスク再生装置。
【請求項２】
ＣＤ（Ｃｏｍｐａｃｔ  Ｄｉｓｋ）に格納された情報を読み取るレーザ光を照射するＣＤ用光源、及び、ＤＶＤ（Ｄｉｇｉｔａｌ  Ｖｅｒｓａｔｉｌｅ  Ｄｉｓｋ）に格納された情報を読み取るレーザ光を照射するＤＶＤ用光源と、再生する対象の光ディスクからの反射光を電気信号に変換するピックアップと、を備え、ＣＤ又はＤＶＤに格納された情報を読み出して再生する光ディスク再生装置であって、
前記ＣＤ用光源及びＤＶＤ用光源をそれぞれ再生する対象の光ディスクに照射して、再生対象の光ディスクにおける記録面の位置に対する光源からの照射光の焦点位置のズレ量を示すフォーカシングエラー信号、及び、前記ピックアップで取得された全ての反射光に対応する電気信号の総和である全加算信号をそれぞれ取得する第１信号取得手段と、
前記第１信号取得手段によって取得されたフォーカシングエラー信号及び全加算信号に基づいて、再生する対象の光ディスクの種別を判定する種別判定手段と、
再生する対象の光ディスクを再生するために、フォーカスをオンする条件である引き込み条件を設定する引き込み設定手段と、
前記種別判定手段によって判別された種別に対応する光源を照射して、前記引き込み設定手段による設定に必要な信号を取得するべく前記ピックアップに対してサーチ動作を行わせる第２信号取得手段と、
前記第２信号取得手段によって信号が取得されたか否かを判定する信号判定手段と、
前記信号判定手段によって信号が取得されていないと判定された場合に、前記引き込み設定手段に対して、前記第１信号取得手段によって取得された信号に基づいて設定を行わせる設定制御手段と、
前記設定制御手段によって設定された条件に基づいて、再生する対象の光ディスクを再生する再生実行手段と、
を備えることを特徴とする光ディスク再生装置。
【請求項３】
前記引き込み設定手段は、前記第１信号取得手段によって取得された、前記全加算信号の最大値、及び、前記フォーカシングエラー信号の最大値と最小値との差である第１ＦＥ振幅値に基づいて引き込み条件を設定することを特徴とする請求項２に記載の光ディスク再生装置。
【請求項４】
前記引き込み設定手段は、引き込み条件として、
前記フォーカシングエラー信号が、前記第１ＦＥ振幅値の予め設定された所定数倍以上であり、且つ、前記全加算信号が、前記第１信号取得手段によって取得された前記全加算信号の最大値の予め設定された第１の所定数倍以上であるとの第１条件と、
前記フォーカシングエラー信号が、予め設定された所定の閾値未満であり、且つ、前記全加算信号が、前記第１信号取得手段によって取得された前記全加算信号の最大値の予め設定された、前記第１の所定数未満の第２の所定数倍以上である第２条件と、
を設定することを特徴とする請求項３に記載の光ディスク再生装置。
【請求項５】
再生する対象の光ディスクを再生するために、前記フォーカシングエラー信号の最大値と最小値との絶対値を略一致させるべくゲインを設定するバランス設定手段を備え、
前記設定制御手段は、前記信号判定手段によって信号が取得されていないと判定された場合に、前記バランス設定手段に対して、前記第１信号取得手段によって取得された信号に基づいて設定を行わせることを特徴とする請求項２〜請求項４のいずれかに記載の光ディスク再生装置。
【請求項６】
再生する対象の光ディスクを再生するために、前記全加算信号のゲインを設定するゲイン設定手段を備え、
前記設定制御手段は、前記信号判定手段によって信号が取得されていないと判定された場合に、前記ゲイン設定手段に対して、前記第１信号取得手段によって取得された信号に基づいて設定を行わせることを特徴とする請求項２〜請求項５のいずれかに記載の光ディスク再生装置。
【請求項７】
前記ゲイン設定手段は、前記第１信号取得手段によって取得された全加算信号の最大値と最小値との差である第１ＡＳ振幅値に基づいて前記全加算信号のゲインを設定することを特徴とする請求項６に記載の光ディスク再生装置。
【請求項８】
前記信号判定手段は、前記第２信号取得手段によって取得されたフォーカシングエラー信号の最大値と最小値との差である第２ＦＥ振幅値が、前記第１信号取得手段によって取得されたフォーカシングエラー信号の最大値と最小値との差である第１ＦＥ振幅値の予め設定された所定数倍以上であるか否かに基づいて、必要な信号が取得されたか否かを判定することを特徴とする請求項２〜請求項７のいずれかに記載の光ディスク再生装置。
【請求項９】
前記種別判定手段は、前記第１信号取得手段によって取得されたフォーカシングエラー信号の最大値と最小値との差である第１ＦＥ振幅値、及び、全加算信号の最大値と最小値との差である第１ＡＳ振幅値に基づいて、再生する対象の光ディスクの種別を判定することを特徴とする請求項２〜請求項８のいずれかに記載の光ディスク再生装置。
【発明の詳細な説明】
【技術分野】
【０００１】
本発明は、ＣＤ（Ｃｏｍｐａｃｔ  Ｄｉｓｋ）に格納された情報を読み取るレーザ光を照射するＣＤ用光源、及び、ＤＶＤ（Ｄｉｇｉｔａｌ  Ｖｅｒｓａｔｉｌｅ  Ｄｉｓｋ）に格納された情報を読み取るレーザ光を照射するＤＶＤ用光源と、再生する対象の光ディスクからの反射光を電気信号に変換するピックアップと、を備え、ＣＤ又はＤＶＤに格納された情報を読み出して再生する光ディスク再生装置に関する。
【背景技術】
【０００２】
光ディスクの種類の多様化に伴い、複数種類の光ディスクを再生可能な光ディスク再生装置が提供されている。このような光ディスク再生装置では、ディスクの種類によって再生動作に関する各種のパラメータが異なるので、再生対象である光ディスクの種類を判別し、その判別結果に応じて上記パラメータを設定する必要がある。
【０００３】
例えば、ＣＤ用ＬＤ（Ｌａｓｅｒ  Ｄｉｏｄｅ）を点灯させた状態でフォーカスサーチを行い、そのときのフォーカシングエラー信号（＝ＦＥ信号）の最大値と最小値との差であるＣＤ−ＦＥｐｐ、及び、そのときの全加算信号（＝ＡＳ信号）の最大値であるＣＤ−ＡＳｍａｘを検出し、ＤＶＤ用ＬＤを点灯させた状態でフォーカスサーチを行い、そのときのＦＥ信号の最大値と最小値との差であるＤＶＤ−ＦＥｐｐ、及び、そのときのＡＳ信号の最大値であるＤＶＤ−ＡＳｍａｘを検出し、ＤＶＤ−ＦＥｐｐをＤＶＤ−ＡＳｍａｘで割って得られる値を、ＣＤ−ＦＥｐｐをＣＤ−ＡＳｍａｘで割って得られる値で割って得られる値を算出し、この算出結果が閾値よりも大きいか否かによって再生対象である光ディスクがＣＤであるかそれともＤＶＤであるかを判定する光ディスク再生装置が提案されている（特許文献１参照）。
【特許文献１】特開２００４−２２０３３号公報
【発明の開示】
【発明が解決しようとする課題】
【０００４】
しかしながら、上記の光ディスク再生装置では、正確、且つ、簡単にディスクの種類を判別することができるが、判別された種別（例えば、ＤＶＤ）に対応するＬＤ（ＤＶＤ用ＬＤ）を照射して、フォーカスをオンする条件である引き込み条件等を設定するために必要な信号を取得するべくサーチ動作を行った際に、ディスクの面振れ等に起因して、引き込み条件を設定するために必要な信号が取得できず、再生対象である光ディスクの再生ができない場合がある。
【０００５】
上記の課題に鑑みて、本発明は、安定的に再生対象である光ディスクの再生を行うことの可能な光ディスク再生装置を提供することを目的としている。
【課題を解決するための手段】
【０００６】
上記目的を達成するために請求項１に記載の光ディスク再生装置は、ＣＤ（Ｃｏｍｐａｃｔ  Ｄｉｓｋ）に格納された情報を読み取るレーザ光を照射するＣＤ用光源、及び、ＤＶＤ（Ｄｉｇｉｔａｌ  Ｖｅｒｓａｔｉｌｅ  Ｄｉｓｋ）に格納された情報を読み取るレーザ光を照射するＤＶＤ用光源と、再生する対象の光ディスクからの反射光を電気信号に変換するピックアップと、を備え、ＣＤ又はＤＶＤに格納された情報を読み出して再生する光ディスク再生装置であって、前記ＣＤ用光源及びＤＶＤ用光源をそれぞれ再生する対象の光ディスクに照射して、再生対象の光ディスクにおける記録面の位置に対する光源からの照射光の焦点位置のズレ量を示すフォーカシングエラー信号、及び、前記ピックアップで取得された全ての反射光に対応する電気信号の総和である全加算信号をそれぞれ取得する第１信号取得手段と、前記第１信号取得手段によって取得されたフォーカシングエラー信号及び全加算信号に基づいて、再生する対象の光ディスクの種別を判定する種別判定手段と、再生する対象の光ディスクを再生するために、フォーカスをオンする条件である引き込み条件を設定する引き込み設定手段と、再生する対象の光ディスクを再生するために、前記フォーカシングエラー信号の最大値と最小値との絶対値を略一致させるべくゲインを設定するバランス設定手段と、再生する対象の光ディスクを再生するために、前記全加算信号のゲインを設定するゲイン設定手段と、前記種別判定手段によって判別された種別に対応する光源を照射して、前記引き込み設定手段による設定に必要な信号を取得するべく前記ピックアップに対してサーチ動作を行わせる第２信号取得手段と、前記第２信号取得手段によって必要な信号が取得されたか否かを判定する信号判定手段と、前記信号判定手段によって信号が取得されていないと判定された場合に、前記引き込み設定手段、バランス設定手段、及び、ゲイン設定手段に対して、前記第１信号取得手段によって取得された信号に基づいて設定を行わせる設定制御手段と、前記設定制御手段によって設定された条件に基づいて、再生する対象の光ディスクを再生する再生実行手段と、を備え、前記種別判定手段が、前記第１信号取得手段によって取得されたフォーカシングエラー信号の最大値と最小値との差である第１ＦＥ振幅値及び全加算信号の最大値と最小値との差である第１ＡＳ振幅値に基づいて再生する対象の光ディスクの種別を判定し、前記信号判定手段が、前記第２信号取得手段によって取得されたフォーカシングエラー信号の最大値と最小値との差である第２ＦＥ振幅値が、前記第１ＦＥ振幅値の予め設定された所定数倍以上であるか否かに基づいて、必要な信号が取得されたか否かを判定し、前記引き込み設定手段が、引き込み条件として、前記フォーカシングエラー信号が、前記第１ＦＥ振幅値の予め設定された所定数倍以上であり、且つ、前記全加算信号が、前記第１信号取得手段によって取得された前記全加算信号の最大値の予め設定された第１の所定数倍以上であるとの第１条件と、前記フォーカシングエラー信号が、予め設定された所定の閾値未満であり、且つ、前記全加算信号が、前記第１信号取得手段によって取得された前記全加算信号の最大値の予め設定された、前記第１の所定数未満の第２の所定数倍以上である第２条件と、を設定し、前記ゲイン設定手段が、前記第１ＡＳ振幅値に基づいて前記全加算信号のゲインを設定することを特徴としている。
【０００７】
請求項２に記載の光ディスク再生装置は、ＣＤ（Ｃｏｍｐａｃｔ  Ｄｉｓｋ）に格納された情報を読み取るレーザ光を照射するＣＤ用光源、及び、ＤＶＤ（Ｄｉｇｉｔａｌ  Ｖｅｒｓａｔｉｌｅ  Ｄｉｓｋ）に格納された情報を読み取るレーザ光を照射するＤＶＤ用光源と、再生する対象の光ディスクからの反射光を電気信号に変換するピックアップと、を備え、ＣＤ又はＤＶＤに格納された情報を読み出して再生する光ディスク再生装置であって、前記ＣＤ用光源及びＤＶＤ用光源をそれぞれ再生する対象の光ディスクに照射して、再生対象の光ディスクにおける記録面の位置に対する光源からの照射光の焦点位置のズレ量を示すフォーカシングエラー信号、及び、前記ピックアップで取得された全ての反射光に対応する電気信号の総和である全加算信号をそれぞれ取得する第１信号取得手段と、前記第１信号取得手段によって取得されたフォーカシングエラー信号及び全加算信号に基づいて、再生する対象の光ディスクの種別を判定する種別判定手段と、再生する対象の光ディスクを再生するために、フォーカスをオンする条件である引き込み条件を設定する引き込み設定手段と、前記種別判定手段によって判別された種別に対応する光源を照射して、前記引き込み設定手段による設定に必要な信号を取得するべく前記ピックアップに対してサーチ動作を行わせる第２信号取得手段と、前記第２信号取得手段によって信号が取得されたか否かを判定する信号判定手段と、前記信号判定手段によって信号が取得されていないと判定された場合に、前記引き込み設定手段に対して、前記第１信号取得手段によって取得された信号に基づいて設定を行わせる設定制御手段と、前記設定制御手段によって設定された条件に基づいて、再生する対象の光ディスクを再生する再生実行手段と、を備えることを特徴としている。
【０００８】
請求項３に記載の光ディスク再生装置は、請求項２に記載の光ディスク再生装置であって、前記引き込み設定手段が、前記第１信号取得手段によって取得された、前記全加算信号の最大値、及び、前記フォーカシングエラー信号の最大値と最小値との差である第１ＦＥ振幅値に基づいて引き込み条件を設定することを特徴としている。
【０００９】
請求項４に記載の光ディスク再生装置は、請求項３に記載の光ディスク再生装置であって、前記引き込み設定手段が、引き込み条件として、前記フォーカシングエラー信号が、前記第１ＦＥ振幅値の予め設定された所定数倍以上であり、且つ、前記全加算信号が、前記第１信号取得手段によって取得された前記全加算信号の最大値の予め設定された第１の所定数倍以上であるとの第１条件と、前記フォーカシングエラー信号が、予め設定された所定の閾値未満であり、且つ、前記全加算信号が、前記第１信号取得手段によって取得された前記全加算信号の最大値の予め設定された、前記第１の所定数未満の第２の所定数倍以上である第２条件と、を設定することを特徴としている。
【００１０】
請求項５に記載の光ディスク再生装置は、請求項２〜請求項４のいずれかに記載の光ディスク再生装置であって、再生する対象の光ディスクを再生するために、前記フォーカシングエラー信号の最大値と最小値との絶対値を略一致させるべくゲインを設定するバランス設定手段を備え、前記設定制御手段が、前記信号判定手段によって信号が取得されていないと判定された場合に、前記バランス設定手段に対して、前記第１信号取得手段によって取得された信号に基づいて設定を行わせることを特徴としている。
【００１１】
請求項６に記載の光ディスク再生装置は、請求項２〜請求項５のいずれかに記載の光ディスク再生装置であって、再生する対象の光ディスクを再生するために、前記全加算信号のゲインを設定するゲイン設定手段を備え、前記設定制御手段が、前記信号判定手段によって信号が取得されていないと判定された場合に、前記ゲイン設定手段に対して、前記第１信号取得手段によって取得された信号に基づいて設定を行わせることを特徴としている。
【００１２】
請求項７に記載の光ディスク再生装置は、請求項６に記載の光ディスク再生装置であって、前記ゲイン設定手段が、前記第１信号取得手段によって取得された全加算信号の最大値と最小値との差である第１ＡＳ振幅値に基づいて前記全加算信号のゲインを設定することを特徴としている。
【００１３】
請求項８に記載の光ディスク再生装置は、請求項２〜請求項７のいずれかに記載の光ディスク再生装置であって、前記信号判定手段が、前記第２信号取得手段によって取得されたフォーカシングエラー信号の最大値と最小値との差である第２ＦＥ振幅値が、前記第１信号取得手段によって取得されたフォーカシングエラー信号の最大値と最小値との差である第１ＦＥ振幅値の予め設定された所定数倍以上であるか否かに基づいて、必要な信号が取得されたか否かを判定することを特徴としている。
【００１４】
請求項９に記載の光ディスク再生装置は、請求項２〜請求項８のいずれかに光ディスク再生装置であって、前記種別判定手段が、前記第１信号取得手段によって取得されたフォーカシングエラー信号の最大値と最小値との差である第１ＦＥ振幅値、及び、全加算信号の最大値と最小値との差である第１ＡＳ振幅値に基づいて、再生する対象の光ディスクの種別を判定することを特徴としている。
【発明の効果】
【００１５】
請求項１に記載の光ディスク再生装置によれば、ＣＤ用光源及びＤＶＤ用光源がそれぞれ再生する対象の光ディスクに照射されて、再生対象の光ディスクにおける記録面の位置に対する光源からの照射光の焦点位置のズレ量を示すフォーカシングエラー信号、及び、ピックアップで取得された全ての反射光に対応する電気信号の総和である全加算信号がそれぞれ取得される。そして、取得されたフォーカシングエラー信号及び全加算信号に基づいて、再生する対象の光ディスクの種別が判定される。また、判別された種別に対応する光源が照射されて、フォーカスをオンする条件である引き込み条件の設定に必要な信号を取得するべくピックアップによってサーチ動作が行われ、引き込み条件の設定に必要な信号が取得されたか否かが判定される。更に、引き込み条件の設定に必要な信号が取得されていないと判定された場合に、光ディスクの種別を判定する際に取得された信号に基づいて引き込み条件の設定が行われ、設定された条件に基づいて、再生する対象の光ディスクが再生されるため、安定的に再生対象である光ディスクの再生を行うことができる。
【００１６】
すなわち、引き込み条件の設定に必要な信号が取得されていない場合であっても、光ディスクの種別を判定する際に取得された信号に基づいて引き込み条件の設定が行われるため、再生する対象の光ディスクを再生することが可能となるので、安定的に再生対象である光ディスクの再生を行うことができるのである。
【００１７】
また、光ディスクの種別を判定する際に取得された全加算信号の最大値、及び、フォーカシングエラー信号の最大値と最小値との差である第１ＦＥ振幅値に基づいて引き込み条件が設定されるため、適正な引き込み条件を設定することができる。
【００１８】
すなわち、全加算信号がその最大値となった場合、及び、フォーカシングエラー信号が略零（＝第１ＦＥ振幅値と比較して充分に小さい絶対値）となった場合に、合焦しているため、光ディスクの種別を判定する際に取得された全加算信号の最大値及び第１ＦＥ振幅値に基づいて、引き込み条件を設定することにより、適正な引き込み条件を設定することができるのである。
【００１９】
更に、引き込み条件として、フォーカシングエラー信号が光ディスクの種別を判定する際に取得された第１ＦＥ振幅値の予め設定された所定数倍以上であり、且つ、全加算信号が、光ディスクの種別を判定する際に取得された全加算信号の最大値の予め設定された第１の所定数倍以上であるとの第１条件と、フォーカシングエラー信号が予め設定された所定の閾値未満であり、且つ、全加算信号が光ディスクの種別を判定する際に取得された全加算信号の最大値の予め設定された、第１の所定数未満の第２の所定数倍以上である第２条件と、が設定されるため、安定的にフォーカスをオンすることができる。
【００２０】
すなわち、フォーカシングエラー信号が光ディスクの種別を判定する際に取得された第１ＦＥ振幅値の予め設定された所定数倍（例えば、１／４倍）以上であり、且つ、全加算信号が、光ディスクの種別を判定する際に取得された全加算信号の最大値の予め設定された第１の所定数倍（例えば、１／２倍）以上であるとの第１条件を満たした後、フォーカシングエラー信号が予め設定された所定の閾値（例えば、ゼロ）未満であり、且つ、全加算信号が光ディスクの種別を判定する際に取得された全加算信号の最大値の予め設定された、第１の所定数未満の第２の所定数倍（例えば、１／３倍）以上である第２条件を満たすとフォーカスをオンすると判定されるため、安定的にフォーカスをオンすることができるのである。
【００２１】
加えて、引き込み条件の設定に必要な信号が取得されていないと判定された場合に、光ディスクの種別を判定する際に取得された信号に基づいて、フォーカシングエラー信号の最大値と最小値との絶対値を略一致させるべくゲインが設定されるため、更に安定的に再生対象である光ディスクの再生を行うことができる。
【００２２】
すなわち、引き込み条件の設定に必要な信号が取得されていない場合であっても、光ディスクの種別を判定する際に取得された信号に基づいて、フォーカシングエラー信号の最大値と最小値との絶対値を略一致させるべくゲインが設定されるため、フォーカシングエラー信号の適正なゲインが設定される（＝フォーカシングエラー信号のバランス調整がされる）ので、更に安定的に再生対象である光ディスクの再生を行うことができるのである。
【００２３】
また、引き込み条件の設定に必要な信号が取得されていないと判定された場合に、光ディスクの種別を判定する際に取得された信号に基づいて、全加算信号のゲインが設定されるため、更に安定的に再生対象である光ディスクの再生を行うことができる。
【００２４】
すなわち、引き込み条件の設定に必要な信号が取得されていない場合であっても、光ディスクの種別を判定する際に取得された信号に基づいて、全加算信号のゲインが設定されるため、全加算信号の適正なゲインが設定されるので、更に安定的に再生対象である光ディスクの再生を行うことができるのである。
【００２５】
更に、光ディスクの種別を判定する際に取得された全加算信号の最大値と最小値との差である第１ＡＳ振幅値に基づいて全加算信号のゲインが設定されるため、全加算信号の適正なゲインを容易に設定することができる。
【００２６】
加えて、フォーカシングエラー信号の最大値と最小値との差である第２ＦＥ振幅値が、光ディスクの種別を判定する際に取得されたフォーカシングエラー信号の最大値と最小値との差である第１ＦＥ振幅値の予め設定された所定数倍（例えば、１／２倍）以上であるか否かに基づいて、必要な信号が取得されたか否かが判定されるため、必要な信号が取得されたか否かの判定を適正且つ容易に行うことができる。
【００２７】
また、フォーカシングエラー信号の最大値と最小値との差である第１ＦＥ振幅値、及び、全加算信号の最大値と最小値との差である第１ＡＳ振幅値に基づいて、再生する対象の光ディスクの種別が判定されるため、再生する対象の光ディスクの種別を容易且つ正確に判定することができる。
【００２８】
請求項２に記載の光ディスク再生装置によれば、ＣＤ用光源及びＤＶＤ用光源がそれぞれ再生する対象の光ディスクに照射されて、再生対象の光ディスクにおける記録面の位置に対する光源からの照射光の焦点位置のズレ量を示すフォーカシングエラー信号、及び、ピックアップで取得された全ての反射光に対応する電気信号の総和である全加算信号がそれぞれ取得される。そして、取得されたフォーカシングエラー信号及び全加算信号に基づいて、再生する対象の光ディスクの種別が判定される。また、判別された種別に対応する光源が照射されて、フォーカスをオンする条件である引き込み条件の設定に必要な信号を取得するべくピックアップによってサーチ動作が行われ、引き込み条件の設定に必要な信号が取得されたか否かが判定される。更に、引き込み条件の設定に必要な信号が取得されていないと判定された場合に、光ディスクの種別を判定する際に取得された信号に基づいて引き込み条件の設定が行われ、設定された条件に基づいて、再生する対象の光ディスクが再生されるため、安定的に再生対象である光ディスクの再生を行うことができる。
【００２９】
すなわち、引き込み条件の設定に必要な信号が取得されていない場合であっても、光ディスクの種別を判定する際に取得された信号に基づいて引き込み条件の設定が行われるため、再生する対象の光ディスクを再生することが可能となるので、安定的に再生対象である光ディスクの再生を行うことができるのである。
【００３０】
請求項３に記載の光ディスク再生装置によれば、光ディスクの種別を判定する際に取得された全加算信号の最大値、及び、フォーカシングエラー信号の最大値と最小値との差である第１ＦＥ振幅値に基づいて引き込み条件が設定されるため、適正な引き込み条件を設定することができる。
【００３１】
すなわち、全加算信号がその最大値となった場合、及び、フォーカシングエラー信号が略零（＝第１ＦＥ振幅値と比較して充分に小さい絶対値）となった場合に、合焦しているため、光ディスクの種別を判定する際に取得された全加算信号の最大値及び第１ＦＥ振幅値に基づいて、引き込み条件を設定することにより、適正な引き込み条件を設定することができるのである。
【００３２】
請求項４に記載の光ディスク再生装置によれば、引き込み条件として、フォーカシングエラー信号が光ディスクの種別を判定する際に取得された第１ＦＥ振幅値の予め設定された所定数倍以上であり、且つ、全加算信号が、光ディスクの種別を判定する際に取得された全加算信号の最大値の予め設定された第１の所定数倍以上であるとの第１条件と、フォーカシングエラー信号が予め設定された所定の閾値未満であり、且つ、全加算信号が光ディスクの種別を判定する際に取得された全加算信号の最大値の予め設定された、第１の所定数未満の第２の所定数倍以上である第２条件と、が設定されるため、安定的にフォーカスをオンすることができる。
【００３３】
すなわち、フォーカシングエラー信号が光ディスクの種別を判定する際に取得された第１ＦＥ振幅値の予め設定された所定数倍（例えば、１／４倍）以上であり、且つ、全加算信号が、光ディスクの種別を判定する際に取得された全加算信号の最大値の予め設定された第１の所定数倍（例えば、１／２倍）以上であるとの第１条件を満たした後、フォーカシングエラー信号が予め設定された所定の閾値（例えば、ゼロ）未満であり、且つ、全加算信号が光ディスクの種別を判定する際に取得された全加算信号の最大値の予め設定された、第１の所定数未満の第２の所定数倍（例えば、１／３倍）以上である第２条件を満たすとフォーカスをオンすると判定されるため、安定的にフォーカスをオンすることができるのである。
【００３４】
請求項５に記載の光ディスク再生装置によれば、引き込み条件の設定に必要な信号が取得されていないと判定された場合に、光ディスクの種別を判定する際に取得された信号に基づいて、フォーカシングエラー信号の最大値と最小値との絶対値を略一致させるべくゲインが設定されるため、更に安定的に再生対象である光ディスクの再生を行うことができる。
【００３５】
すなわち、引き込み条件の設定に必要な信号が取得されていない場合であっても、光ディスクの種別を判定する際に取得された信号に基づいて、フォーカシングエラー信号の最大値と最小値との絶対値を略一致させるべくゲインが設定されるため、フォーカシングエラー信号の適正なゲインが設定される（＝フォーカシングエラー信号のバランス調整がされる）ので、更に安定的に再生対象である光ディスクの再生を行うことができるのである。
【００３６】
請求項６に記載の光ディスク再生装置によれば、引き込み条件の設定に必要な信号が取得されていないと判定された場合に、光ディスクの種別を判定する際に取得された信号に基づいて、全加算信号のゲインが設定されるため、更に安定的に再生対象である光ディスクの再生を行うことができる。
【００３７】
すなわち、引き込み条件の設定に必要な信号が取得されていない場合であっても、光ディスクの種別を判定する際に取得された信号に基づいて、全加算信号のゲインが設定されるため、全加算信号の適正なゲインが設定されるので、更に安定的に再生対象である光ディスクの再生を行うことができるのである。
【００３８】
請求項７に記載の光ディスク再生装置によれば、光ディスクの種別を判定する際に取得された全加算信号の最大値と最小値との差である第１ＡＳ振幅値に基づいて全加算信号のゲインが設定されるため、全加算信号の適正なゲインを容易に設定することができる。
【００３９】
請求項８に記載の光ディスク再生装置によれば、フォーカシングエラー信号の最大値と最小値との差である第２ＦＥ振幅値が、光ディスクの種別を判定する際に取得されたフォーカシングエラー信号の最大値と最小値との差である第１ＦＥ振幅値の予め設定された所定数倍（例えば、１／２倍）以上であるか否かに基づいて、必要な信号が取得されたか否かが判定されるため、必要な信号が取得されたか否かの判定を適正且つ容易に行うことができる。
【００４０】
請求項９に記載の光ディスク再生装置によれば、フォーカシングエラー信号の最大値と最小値との差である第１ＦＥ振幅値、及び、全加算信号の最大値と最小値との差である第１ＡＳ振幅値に基づいて、再生する対象の光ディスクの種別が判定されるため、再生する対象の光ディスクの種別を容易且つ正確に判定することができる。
【発明を実施するための最良の形態】
【００４１】
以下に本発明の実施形態を、図面を参照しながら説明する。図１は、本発明に係るディスクプレイヤの一例を示す構成図である。ディスクプレイヤ１００（光ディスク再生装置に相当する）は、本発明に係るピックアップ装置１、出力装置３、制御装置４、駆動装置５、表示部６、及び操作部７を備えている。
【００４２】
ピックアップ装置１（ピックアップに相当する）は、ＣＤ用ＬＤ（Ｌａｓｅｒ  Ｄｉｏｄｅ）及びＤＶＤ用ＬＤを備え、再生する対象の光ディスク２（ＣＤ又はＤＶＤ）からの反射光を電気信号に変換し、光ディスク２（ＣＤ、又は、ＤＶＤ）に格納された音声情報、画像情報等の各種情報の読み取りを行うものである。ＣＤ用ＬＤ（ＣＤ用光源に相当する）は、ＣＤに格納された情報を読み取るレーザ光を照射するものである。ＤＶＤ用ＬＤ（ＣＤ用光源に相当する）は、ＤＶＤに格納された情報を読み取るレーザ光を照射するものである。
【００４３】
また、ピックアップ装置１は、送りモータ５１によって、光ディスク２の径方向、及び、垂直方向（近接、離間方向）に移動可能に構成されている。更に、ピックアップ装置１は、ＤＳＰ３２からの指示に従って送りモータ５１を介して光ディスク２の垂直方向に移動されると共に、後述するＲＦアンプ３１を介してＤＳＰ３２に対してフォーカシングエラー信号及び全加算信号等を出力するものである。
【００４４】
出力装置３は、ピックアップ装置１からの音声情報、画像情報等の情報を、音声及び画像に変換して、それぞれ、図略のスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００４５】
ＲＦアンプ３１（第１信号取得手段の一部、第２信号取得手段の一部、再生実行手段の一部に相当する）は、ピックアップ装置１からの音声情報、画像情報等に対応する信号を増幅するものであって、ＣＤ用ＬＤ又はＤＶＤ用ＬＤからの照射光の焦点位置の、再生対象の光ディスク（ＣＤ又はＤＶＤ）における記録面の位置に対するズレ量を示すフォーカシングエラー信号（＝ＦＥ信号）、及び、ピックアップ装置１で取得された全ての反射光に対応する電気信号の総和である全加算信号（＝ＡＳ信号）等をＤＳＰ３２に対して出力するものである。
【００４６】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、図略のスピーカ及びモニタに出力するためにＤＡ変換処理等を行うものである。
【００４７】
制御装置４は、操作部７を介して受け付けた指示操作に基づいて、ピックアップ装置１及び駆動装置５の動作を制御するものであって、システムコントローラ４１、及びドライバ４２を備えている。システムコントローラ４１は、操作部７からの情報を受け付けてＤＳＰ３２に伝送すると共に、ＤＳＰ３２からの情報を表示部６に伝送するものである。ドライバ４２（第１信号取得手段の一部、第２信号取得手段の一部、再生実行手段の一部に相当する）は、ＤＳＰ３２からの指示に基づいて、ピックアップ装置１及び駆動装置５の動作を制御するものである。
【００４８】
駆動装置５は、送りモータ５１及びスピンドルモータ５２を備える。送りモータ５１（第１信号取得手段の一部、第２信号取得手段の一部、再生実行手段の一部に相当する）は、ドライバ４２からの指示に基づいてピックアップ装置１を光ディスク２の径方向及び垂直方向に移動させるものである。スピンドルモータ５２（再生実行手段の一部に相当する）は、ドライバ４２からの指示に基づいて光ディスク２を回転駆動するものである。
【００４９】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００５０】
図２は、本発明に係るディスクプレイヤ１００における主要部の構成の一例を示す機能構成図である。ＤＳＰ３２は、ＲＡＭ（Ｒａｎｄｏｍ  Ａｃｃｅｓｓ  Ｍｅｍｏｒｙ）、ＭＰＵ（Ｍｉｃｒｏ  Ｐｒｏｃｅｓｓｉｎｇ  Ｕｎｉｔ）、及び、ＲＯＭ（Ｒｅａｄ  Ｏｎｌｙ  Ｍｅｍｏｒｙ：図示省略）を備えている。ＲＡＭは、機能的に、パラメータ記憶部３２０を備え、ＭＰＵは、機能的に、第１信号取得部３２１、種別判定部３２２、第２信号取得部３２３、信号判定部３２４、設定制御部３２５、引き込み設定部３２６、バランス設定部３２７、ゲイン設定部３２８、及び、再生実行部３２９を備えている。
【００５１】
ここでは、ＭＰＵが、ＲＯＭ等に予め格納されたプログラムを読み出して実行することにより、第１信号取得部３２１、種別判定部３２２、第２信号取得部３２３、信号判定部３２４、設定制御部３２５、引き込み設定部３２６、バランス設定部３２７、ゲイン設定部３２８、再生実行部３２９等の機能部として機能すると共に、ＲＡＭを、パラメータ記憶部３２０等の機能部として機能させるものである。
【００５２】
また、ＲＡＭ又はＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００５３】
第１信号取得部３２１（第１信号取得手段の一部に相当する）は、ＣＤ用ＬＤ及びＤＶＤ用ＬＤをそれぞれ再生する対象の光ディスク（ＣＤ又はＤＶＤ）２に照射して、再生対象の光ディスク２における記録面の位置に対するＣＤ用ＬＤ及びＤＶＤ用ＬＣからの照射光の焦点位置のズレ量を示すフォーカシングエラー信号、及び、ピックアップ装置１で取得された全ての反射光に対応する電気信号の総和である全加算信号をそれぞれ取得するものである。
【００５４】
具体的には、まず、第１信号取得部３２１は、ＤＶＤ用ＬＤを再生する対象の光ディスク２に照射して、再生対象の光ディスク２における記録面の位置に対するＤＶＤ用ＬＤからの照射光の焦点位置のズレ量を示すフォーカシングエラー信号ＦＥ１（ＤＶＤ）、及び、ピックアップ装置１で取得された全ての反射光に対応する電気信号の総和である全加算信号ＡＳ１（ＤＶＤ）を取得するものである。
【００５５】
そして、第１信号取得部３２１は、フォーカシングエラー信号ＦＥ１（ＤＶＤ）の最大値ＦＥｍａｘ１（ＤＶＤ）、最小値ＦＥｍｉｎ１（ＤＶＤ）、及び、ＦＥ振幅値ＦＥｐｐ１（ＤＶＤ）（＝ＦＥｍａｘ１（ＤＶＤ）−ＦＥｍｉｎ１（ＤＶＤ））を求めると共に、全加算信号ＡＳ１（ＤＶＤ）の最大値ＡＳｍａｘ１（ＤＶＤ）、最小値ＡＳｍｉｎ１（ＤＶＤ）、及び、ＡＳ振幅値ＡＳｐｐ１（ＤＶＤ）（＝ＡＳｍａｘ１（ＤＶＤ）−ＡＳｍｉｎ１（ＤＶＤ））を求めるものである。
【００５６】
次に、第１信号取得部３２１は、ＣＤ用ＬＤを再生する対象の光ディスク２に照射して、再生対象の光ディスク２における記録面の位置に対するＣＤ用ＬＤからの照射光の焦点位置のズレ量を示すフォーカシングエラー信号ＦＥ１（ＣＤ）、及び、ピックアップ装置１で取得された全ての反射光に対応する電気信号の総和である全加算信号ＡＳ１（ＣＤ）を取得するものである。
【００５７】
そして、第１信号取得部３２１は、フォーカシングエラー信号ＦＥ１（ＣＤ）の最大値ＦＥｍａｘ１（ＣＤ）、最小値ＦＥｍｉｎ１（ＣＤ）、及び、第１ＦＥ振幅値ＦＥｐｐ１（ＣＤ）（＝ＦＥｍａｘ１（ＣＤ）−ＦＥｍｉｎ１（ＣＤ））を求めると共に、全加算信号ＡＳ１（ＣＤ）の最大値ＡＳｍａｘ１（ＣＤ）、最小値ＡＳｍｉｎ１（ＣＤ）、及び、第１ＡＳ振幅値ＡＳｐｐ１（ＣＤ）（＝ＡＳｍａｘ１（ＣＤ）−ＡＳｍｉｎ１（ＣＤ））を求めるものである。
【００５８】
更に、第１信号取得部３２１は、次の（１）〜（６）式を用いて、パラメータα１（ＤＶＤ）、β１（ＤＶＤ）、γ１（ＤＶＤ）、α１（ＣＤ）、β１（ＣＤ）、γ１（ＣＤ）を算出し、第１ＦＥ振幅値ＦＥｐｐ１（ＤＶＤ）、ＦＥｐｐ１（ＣＤ）と共にパラメータ記憶部３２０に格納するものである。
α１（ＤＶＤ）＝（｜ＦＥｍａｘ１（ＤＶＤ）｜−｜ＦＥｍｉｎ１（ＤＶＤ）｜）／（｜ＦＥｍａｘ１（ＤＶＤ）｜＋｜ＦＥｍｉｎ１（ＤＶＤ）｜）      （１）
β１（ＤＶＤ）＝ＡＳｍａｘ１（ＤＶＤ）／ＦＥｐｐ１（ＤＶＤ）      （２）
γ１（ＤＶＤ）＝ＡＳｐｐ１（ＤＶＤ）／ＦＥｐｐ１（ＤＶＤ）      （３）
α１（ＣＤ）＝（｜ＦＥｍａｘ１（ＣＤ）｜−｜ＦＥｍｉｎ１（ＣＤ）｜）／（｜ＦＥｍａｘ１（ＣＤ）｜＋｜ＦＥｍｉｎ１（ＣＤ）｜）      （４）
β１（ＣＤ）＝ＡＳｍａｘ１（ＣＤ）／ＦＥｐｐ１（ＣＤ）      （５）
γ１（ＣＤ）＝ＡＳｐｐ１（ＣＤ）／ＦＥｐｐ１（ＣＤ）      （６）
【００５９】
ここで、図３を用いて、フォーカシングエラー信号ＦＥ、全加算信号ＡＳについて説明する。図３は、フォーカシングエラー信号ＦＥ、全加算信号ＡＳの一例を示すグラフである。図の横軸は時間であって、（ａ）の縦軸はフォーカシングエラー信号ＦＥであり、（ｂ）の縦軸は全加算信号ＡＳである。（ａ）に示すように、送りモータ５１によってピックアップ装置１（ＣＤ用ＬＤ及びＤＶＤ用ＬＣ）が光ディスクに近づくと、フォーカシングエラー信号ＦＥが増大し、所定の位置においてフォーカシングエラー信号ＦＥが最大値ＦＥｍａｘとなり、その後、焦点位置においてゼロとなる。そして、更にピックアップ装置１（ＣＤ用ＬＤ及びＤＶＤ用ＬＣ）が光ディスクに近づくと、所定の位置においてフォーカシングエラー信号ＦＥが最小値ＦＥｍｉｎとなり、その後、フォーカシングエラー信号ＦＥが増大する。最大値ＦＥｍａｘと最小値ＦＥｍｉｎとの差が、フォーカシングエラー信号ＦＥの振幅値ＦＥｐｐである。
【００６０】
（ｂ）に示すように、送りモータ５１によってピックアップ装置１（ＣＤ用ＬＤ及びＤＶＤ用ＬＣ）が光ディスクに近づくと、全加算信号ＡＳが増大し、焦点位置において最大値ＡＳｍａｘとなり、その後全加算信号ＡＳが減少し、最小値ＡＳｍｉｎとなる。最大値ＡＳｍａｘと最小値ＡＳｍｉｎとの差が、全加算信号ＡＳの振幅値ＡＳｐｐである。従って、ピックアップ装置１を焦点位置に移動させるためには、フォーカシングエラー信号ＦＥがゼロであって、且つ、全加算信号ＡＳが最大値ＡＳｍａｘとなる位置に移動させればよい。後述する引き込み条件は、この焦点位置にピックアップ装置１を移動させるための条件である。
【００６１】
再び、図２に戻って、ＤＳＰ３２の機能構成について説明する。種別判定部３２２（種別判定手段に相当する）は、第１信号取得部３２１によって取得されたフォーカシングエラー信号ＦＥ１及び全加算信号ＡＳ１に基づいて、再生する対象の光ディスクの種別（ＤＶＤであるか、ＣＤであるか）を判定するものである。また、種別判定部３２２は、再生する対象の光ディスクの種別に対応するＬＤの反射光に対応する各電気信号（例えば、４分割ＰＤ（Ｐｈｏｔｏ  Ｄｉｏｄｅ）を使用する場合には、４個のＰＤから出力される各電気信号）のゲインを調整するものである。
【００６２】
具体的には、種別判定部３２２は、第１信号取得部３２１によって取得されたフォーカシングエラー信号ＦＥ１の最大値ＦＥｍａｘ１と最小値ＦＥｍｉｎ１との差である第１ＦＥ振幅値ＦＥｐｐ１及び全加算信号ＡＳ１の最大値ＡＳｍａｘ１と最小値ＡＳｍｉｎ１との差である第１ＡＳ振幅値ＡＳｐｐ１に基づいて再生する対象の光ディスク２の種別を判定するものである。すなわち、種別判定部３２２は、次の（７）式を満たすか否かを判定し、満たすと判定された場合には、光ディスクの種別がＤＶＤであると判定し、満たさないと判定された場合には、光ディスクの種別がＣＤであると判定するものである。
ＦＥｐｐ１（ＤＶＤ）／ＡＳｐｐ１（ＤＶＤ）＞ＦＥｐｐ１（ＣＤ）／ＡＳｐｐ１（ＣＤ）      （７）
【００６３】
第２信号取得部３２３（第２信号取得手段の一部に相当する）は、種別判定部３２２によって判別された種別に対応するＬＤ（ＤＶＤ用ＬＤ又はＣＤ用ＬＤ）を照射して、引き込み設定部３２６による設定に必要な信号を取得するべくピックアップ装置１に対してサーチ動作を行わせるものである。
【００６４】
具体的には、第２信号取得部３２３は、種別判定部３２２によって判別された種別に対応するＬＤ（ＤＶＤ用ＬＤ又はＣＤ用ＬＤ）を照射して、再生対象の光ディスク２における記録面の位置に対するＬＤからの照射光の焦点位置のズレ量を示すフォーカシングエラー信号ＦＥ２、及び、ピックアップ装置１で取得された全ての反射光に対応する電気信号の総和である全加算信号ＡＳ２を取得するものである。
【００６５】
そして、第２信号取得部３２３は、フォーカシングエラー信号ＦＥ２の最大値ＦＥｍａｘ２、最小値ＦＥｍｉｎ２、及び、ＦＥ振幅値ＦＥｐｐ２（＝ＦＥｍａｘ２−ＦＥｍｉｎ２）を求めると共に、全加算信号ＡＳ２の最大値ＡＳｍａｘ２、最小値ＡＳｍｉｎ２、及び、第２ＡＳ振幅値ＡＳｐｐ２（＝ＡＳｍａｘ２−ＡＳｍｉｎ２）を求めるものである。
【００６６】
更に、第２信号取得部３２３は、次の（８）〜（１０）式を用いて、パラメータα２、β２、γ２を算出するものである。
α２＝（｜ＦＥｍａｘ２｜−｜ＦＥｍｉｎ２｜）／（｜ＦＥｍａｘ２｜＋｜ＦＥｍｉｎ２｜）      （８）
β２＝ＡＳｍａｘ２／ＦＥｐｐ２      （９）
γ２＝ＡＳｐｐ２／ＦＥｐｐ２      （１０）
【００６７】
信号判定部３２４（信号判定手段に相当する）は、第２信号取得部３２３によって必要な信号が取得されたか否かを判定するものである。具体的には、信号判定部３２４は、第２信号取得部３２３によって取得されたフォーカシングエラー信号ＦＥ２の最大値ＦＥｍａｘ２と最小値ＦＥｍｉｎ２との差である第２ＦＥ振幅値ＦＥｐｐ２が、第１ＦＥ振幅値ＦＥｐｐ１の予め設定された所定数倍（例えば、１／２倍）以上であるか否かに基づいて、必要な信号が取得されたか否かを判定するものである。
【００６８】
例えば、種別判定部３２２によって光ディスクの種別がＤＶＤであると判定された場合には、信号判定部３２４は、次の（１１）式を満たす場合に必要な信号が取得されたと判定し、次の（１１）式を満たさない場合に必要な信号が取得されなかったと判定するものである。
ＦＥｐｐ２＞ＦＥｐｐ１（ＤＶＤ）／２      （１１）
【００６９】
設定制御部３２５（設定制御手段の一部に相当する）は、信号判定部３２４によって必要な信号が取得されていないと判定された場合に、引き込み設定部３２６、バランス設定部３２７、及び、ゲイン設定部３２８に対して、第１信号取得部３２１によって取得された信号に基づいて設定を行わせるものである。また、設定制御部３２５は、信号判定部３２４によって必要な信号が取得されたと判定された場合には、引き込み設定部３２６、バランス設定部３２７、及び、ゲイン設定部３２８に対して、第２信号取得部３２３によって取得された信号に基づいて設定を行わせるものである。
【００７０】
具体的には、設定制御部３２５は、信号判定部３２４によって必要な信号が取得されていないと判定された場合に、引き込み設定部３２６、バランス設定部３２７、及び、ゲイン設定部３２８に対して、パラメータ記憶部３２０に格納されたパラメータα１（ＤＶＤ）、β１（ＤＶＤ）、γ１（ＤＶＤ）、α１（ＣＤ）、β１（ＣＤ）、γ１（ＣＤ）、第１ＦＥ振幅値ＦＥｐｐ１（ＤＶＤ）、ＦＥｐｐ１（ＣＤ）を用いて設定を行わせるものである。
【００７１】
例えば、種別判定部３２２によって光ディスクの種別がＤＶＤであると判定され、且つ、信号判定部３２４によって必要な信号が取得されていないと判定された場合には、設定制御部３２５は、引き込み設定部３２６、バランス設定部３２７、及び、ゲイン設定部３２８に対して、パラメータ記憶部３２０に格納されたパラメータα１（ＤＶＤ）、β１（ＤＶＤ）、γ１（ＤＶＤ）、及び、第１ＦＥ振幅値ＦＥｐｐ１（ＤＶＤ）を用いて設定を行わせるものである。
【００７２】
また、例えば、信号判定部３２４によって必要な信号が取得されたと判定された場合には、設定制御部３２５は、引き込み設定部３２６、バランス設定部３２７、及び、ゲイン設定部３２８に対して、第２信号取得部３２３によって算出されたパラメータα２、β２、γ２、及び、第２ＦＥ振幅値ＦＥｐｐ２を用いて設定を行わせるものである。
【００７３】
引き込み設定部３２６（引き込み設定手段に相当する）は、再生する対象の光ディスク（ＤＶＤ又はＣＤ）を再生するために、フォーカスをオンする条件である引き込み条件を設定するものである。具体的には、まず、引き込み設定部３２６は、パラメータ記憶部３２０に格納されたパラメータβ１を読み出して（又は、第２信号取得部３２３によって算出されたパラメータβ２を用いて）、次の（１２）式又は（１３）式により引き込み条件として設定する全加算信号ＡＳの最大値ＡＳｍａｘを求める。
ＡＳｍａｘ＝ＦＥｐｐ１×β１      （１２）
ＡＳｍａｘ＝ＦＥｐｐ２×β２      （１３）
【００７４】
ここで、引き込み設定部３２６は、信号判定部３２４によって必要な信号が取得されていないと判定された場合には、（１２）式により引き込み条件として設定する全加算信号ＡＳの最大値ＡＳｍａｘを求め、信号判定部３２４によって必要な信号が取得されたと判定された場合には、（１３）式により引き込み条件として設定する全加算信号ＡＳの最大値ＡＳｍａｘを求めるものである。なお、（１２）式により求められる全加算信号ＡＳの最大値ＡＳｍａｘは、第１信号取得部３２１によって求められた全加算信号ＡＳ１の最大値ＡＳｍａｘ１（ＤＶＤ）、ＡＳｍａｘ１（ＣＤ）の一方と一致し、（１３）式により求められる全加算信号ＡＳの最大値ＡＳｍａｘは、第２信号取得部３２３によって求められた全加算信号ＡＳ２の最大値ＡＳｍａｘ２と一致する。
【００７５】
次に、引き込み設定部３２６は、引き込み条件として、フォーカシングエラー信号ＦＥが、第１ＦＥ振幅値ＦＥｐｐ１（又は第２ＦＥ振幅値ＦＥｐｐ２）の予め設定された所定数倍（例えば、１／４倍）以上であり、且つ、全加算信号ＡＳが、（１２）式又は（１３）式によって求められた最大値ＡＳｍａｘの予め設定された第１の所定数倍（例えば、１／２倍）以上であるとの第１条件と、フォーカシングエラー信号ＦＥが、予め設定された所定の閾値（例えば、ゼロ）未満であり、且つ、全加算信号ＡＳが、（１２）式又は（１３）式によって求められた最大値ＡＳｍａｘの予め設定された、第１の所定数（ここでは、１／２）未満の第２の所定数倍（ここでは、１／３倍）以上である第２条件と、を設定するものである。
【００７６】
バランス設定部３２７（バランス設定手段に相当する）は、再生する対象の光ディスク（ＤＶＤ又はＣＤ）を再生するために、フォーカシングエラー信号ＦＥの最大値ＦＥｍａｘと最小値ＦＥｍｉｎとの絶対値を略一致させるべくゲインを設定するものである。具体的には、バランス設定部３２７は、信号判定部３２４によって必要な信号が取得されていないと判定された場合には、パラメータ記憶部３２０に格納されたパラメータα１を用いてフォーカシングエラー信号ＦＥのゲインを設定し、信号判定部３２４によって必要な信号が取得されたと判定された場合には、第２信号取得部３２３によって求められたパラメータα２を用いてフォーカシングエラー信号ＦＥのゲインを設定するものである。
【００７７】
ゲイン設定部３２８（ゲイン設定手段に相当する）は、再生する対象の光ディスク（ＤＶＤ又はＣＤ）を再生するために、全加算信号ＡＳのゲイン（＝振幅値ＡＳｐｐ）を設定するものである。具体的には、ゲイン設定部３２８は、信号判定部３２４によって必要な信号が取得されていないと判定された場合には、パラメータ記憶部３２０に格納されたパラメータγ１と次の（１４）式とを用いてフォーカシングエラー信号ＦＥのゲイン（＝振幅値ＡＳｐｐ）を設定し、信号判定部３２４によって必要な信号が取得されたと判定された場合には、第２信号取得部３２３によって求められたパラメータγ２次の（１５）式とを用いてフォーカシングエラー信号ＦＥのゲイン（＝振幅値ＡＳｐｐ）を設定するものである。
ＡＳｐｐ＝ＦＥｐｐ１×γ１      （１４）
ＡＳｐｐ＝ＦＥｐｐ２×γ２      （１５）
【００７８】
なお、（１４）式により求められる全加算信号ＡＳの振幅値ＡＳｐｐは、第１信号取得部３２１によって求められた全加算信号ＡＳ１の第１振幅値ＡＳｐｐ１（ＤＶＤ）、ＡＳｐｐ１（ＣＤ）の一方と一致し、（１５）式により求められる全加算信号ＡＳの振幅値ＡＳｐｐは、第２信号取得部３２３によって求められた全加算信号ＡＳ２の第２振幅値ＡＳｐｐ２と一致する。
【００７９】
再生実行部３２９（再生実行手段の一部に相当する）は、設定制御部３２５によって設定された条件に基づいて、再生する対象の光ディスク（ＤＶＤ又はＣＤ）を再生するものである。
【００８０】
パラメータ記憶部３２０（設定制御手段の一部に相当する）は、第１信号取得部３２１によって求められたパラメータα１（ＤＶＤ）、β１（ＤＶＤ）、γ１（ＤＶＤ）、α１（ＣＤ）、β１（ＣＤ）、γ１（ＣＤ）、及び、第１ＦＥ振幅値ＦＥｐｐ１（ＤＶＤ）、ＦＥｐｐ１（ＣＤ）を格納するものである。
【００８１】
図４は、本発明に係るディスクプレイヤ１００の主な動作の一例を示すグラフである。グラフの横軸は時間ｔであって、縦軸はピックアップ装置１に配設されたフォーカス調整用のコイルであるフォーカスコイルに誘導される電圧Ｖである。電圧Ｖは、ピックアップ装置１が光ディスクに近づく程増大する。まず、第１信号取得部３２１によって、期間Ｔ１において、ピックアップ装置１を光ディスクから遠ざけながら（＝上りサーチ）、フォーカシングエラー信号ＦＥ１（ＤＶＤ）、全加算信号ＡＳ１（ＤＶＤ）が取得される。次に、第１信号取得部３２１によって、期間Ｔ２において、ピックアップ装置１を光ディスクから遠ざけながら（＝上りサーチ）、フォーカシングエラー信号ＦＥ１（ＣＤ）、全加算信号ＡＳ１（ＣＤ）が取得される。
【００８２】
そして、期間Ｔ２の終了後、種別判定部３２２によって、光ディスクの種別が判定される。ここでは、便宜上、ＤＶＤであると判別された場合について説明する。次に、種別判定部３２２によって、期間Ｔ３において、ピックアップ装置１を光ディスクから遠ざけながら（＝上りサーチ）、反射光に対応する各電気信号のゲインが調整される。そして、第２信号取得部３２３によって、期間Ｔ４においてピックアップ装置１を光ディスクに近づけながら（＝下りサーチ）、フォーカシングエラー信号ＦＥ２、全加算信号ＡＳ２が取得される。次に、期間Ｔ４の終了後、引き込み設定部３２６、バランス設定部３２７、及び、ゲイン設定部３２８によって、それぞれ、引き込み条件、フォーカシングエラー信号ＦＥのゲイン、及び、全加算信号ＡＳのゲインが設定され、ピックアップ装置１を光ディスクから遠ざけながら（＝上りサーチ）、再生実行部３２９によって、期間Ｔ５において、フォーカスがＯＮされてピックアップ装置１の上昇が停止され、光ディスクの再生が行われる。
【００８３】
図５は、本発明に係るディスクプレイヤ１００の動作の一例を示すフローチャートである。まず、第１信号取得部３２１によって、ピックアップ装置１に配設されたＤＶＤ用ＬＤがＯＮされる（Ｓ１０１）。そして、第１信号取得部３２１によって、再生する対象の光ディスクの種別（ＤＶＤであるか、ＣＤであるか）を判定するためのデータを取得するサーチ処理である種別判定用サーチ処理が行われる（Ｓ１０３）。次に、第１信号取得部３２１によって、ピックアップ装置１に配設されたＣＤ用ＬＤがＯＮされる（Ｓ１０５）。そして、第１信号取得部３２１によって、再生する対象の光ディスクの種別（ＤＶＤであるか、ＣＤであるか）を判定するためのデータを取得するサーチ処理である種別判定用サーチ処理が行われる（Ｓ１０７）。
【００８４】
次いで、種別判定部３２２によって、上述の（７）式に基づいて、再生する対象の光ディスクの種別がＤＶＤであるか否かの判定が行われる（Ｓ１０９）。ＤＶＤではない（＝ＣＤである）と判定された場合（Ｓ１０９でＮＯ）には、処理がステップＳ１１７に進められる。ＤＶＤであると判定された場合（Ｓ１０９でＹＥＳ）には、種別判定部３２２によって、ピックアップ装置１に配設されたＤＶＤ用ＬＤがＯＮされる（Ｓ１１１）。そして、種別判定部３２２によって、ピックアップ装置１で取得される反射光に対応する各電気信号のゲインを調整するためのサーチ処理が行われる（Ｓ１１３）。次に、引き込み設定部３２６、バランス設定部３２７、及び、ゲイン設定部３２８によって、設定処理が行われる（Ｓ１１５）。
【００８５】
ステップＳ１０９でＮＯの場合には、種別判定部３２２によって、ピックアップ装置１に配設されたＣＤ用ＬＤがＯＮされる（Ｓ１１７）。そして、種別判定部３２２によって、ピックアップ装置１で取得される反射光に対応する各電気信号のゲインを調整するためのサーチ処理が行われる（Ｓ１１９）。次に、引き込み設定部３２６、バランス設定部３２７、及び、ゲイン設定部３２８によって、設定処理が行われる（Ｓ１２１）。ステップＳ１１５の処理が終了した場合、又は、ステップＳ１２１の処理が終了した場合には、再生実行部３２９によって、光ディスクの再生が行われ（Ｓ１２３）、処理が終了される。
【００８６】
図６は、図５に示すフローチャートのステップＳ１０３、Ｓ１０７において実行される種別判定用サーチ処理の一例を示す詳細フローチャートである。なお、以下の処理は全て第１信号取得部３２１によって行われる。なお、以下の説明においては、便宜上、例えば、フォーカシングエラー信号ＦＥ１（ＤＶＤ）とフォーカシングエラー信号ＦＥ１（ＣＤ）とを、総称してフォーカシングエラー信号ＦＥ１と記載する。まず、フォーカシングエラー信号ＦＥ１が取得される（Ｓ２０１）。そして、フォーカシングエラー信号ＦＥ１の最大値ＦＥｍａｘ１、及び、最小値ＦＥｍｉｎ１が求められる（Ｓ２０３）。次に、フォーカシングエラー信号ＦＥ１のＦＥ振幅値ＦＥｐｐ１が求められる（Ｓ２０５）。
【００８７】
次いで、全加算信号ＡＳ１が取得される（Ｓ２０７）。そして、全加算信号ＡＳ１の最大値ＡＳｍａｘ１、及び、最小値ＡＳｍｉｎ１が求められる（Ｓ２０９）。次に、全加算信号ＡＳ１のＡＳ振幅値ＡＳｐｐ１が求められる（Ｓ２１１）。そして、パラメータα１、β１、γ１が求められ、第１ＦＥ振幅値ＦＥｐｐ１と共にパラメータ記憶部３２０に格納されて（Ｓ２１３）、処理がリターンされる。
【００８８】
図７は、図５に示すフローチャートのステップＳ１１５、Ｓ１２１において実行される設定処理の一例を示す詳細フローチャートである。まず、第２信号取得部３２３によって、フォーカシングエラー信号ＦＥ２が取得される（Ｓ３０１）。そして、第２信号取得部３２３によって、フォーカシングエラー信号ＦＥ２の最大値ＦＥｍａｘ２、及び、最小値ＦＥｍｉｎ２が求められる（Ｓ３０３）。次に、第２信号取得部３２３によって、フォーカシングエラー信号ＦＥ２のＦＥ振幅値ＦＥｐｐ２が求められる（Ｓ３０５）。
【００８９】
次いで、信号判定部３２４によって、第２ＦＥ振幅値ＦＥｐｐ２が、予め設定された所定の閾値ＳＨＬ（ここでは、第１ＦＥ振幅値ＦＥｐｐ１の１／２倍）以上であるか否かが判定される（Ｓ３０７）。閾値ＳＨＬ以上ではない（＝閾値ＳＨＬ未満である）と判定された場合（Ｓ３０７でＮＯ）には、処理がステップＳ３２３に進められる。閾値ＳＨＬ以上であると判定された場合（Ｓ３０７でＹＥＳ）には、第２信号取得部３２３によって、全加算信号ＡＳ２が取得される（Ｓ３０９）。そして、第２信号取得部３２３によって、全加算信号ＡＳ２の最大値ＡＳｍａｘ２、及び、最小値ＡＳｍｉｎ２が求められる（Ｓ３１１）。次に、第２信号取得部３２３によって、全加算信号ＡＳ２のＡＳ振幅値ＡＳｐｐ２が求められる（Ｓ３１３）。そして、第２信号取得部３２３によって、パラメータα２、β２、γ２が求められる（Ｓ３１５）。
【００９０】
次いで、設定制御部３２５の指示に従ってバランス設定部３２７によって、パラメータα２を用いてフォーカシングエラー信号ＦＥのゲインが設定される（Ｓ３１７）。そして、設定制御部３２５の指示に従って引き込み設定部３２６によって、パラメータβ２を用いて引き込み条件が設定される（Ｓ３１９）。次に、設定制御部３２５の指示に従ってゲイン設定部３２８によって、パラメータγ２を用いて全加算信号ＡＳのゲインが設定され（Ｓ３２１）、処理がリターンされる。
【００９１】
ステップＳ３０７でＮＯの場合には、設定制御部３２５の指示に従ってバランス設定部３２７によって、パラメータα１を用いてフォーカシングエラー信号ＦＥのゲインが設定される（Ｓ３２３）。そして、設定制御部３２５の指示に従って引き込み設定部３２６によって、パラメータβ１を用いて引き込み条件が設定される（Ｓ３２５）。次に、設定制御部３２５の指示に従ってゲイン設定部３２８によって、パラメータγ１を用いて全加算信号ＡＳのゲインが設定され（Ｓ３２７）、処理がリターンされる。
【００９２】
このようにして、ＣＤ用ＬＤ及びＤＶＤ用ＬＤがそれぞれ再生する対象の光ディスク２に照射されて、再生対象の光ディスク２における記録面の位置に対するＣＤ用ＬＤ及びＤＶＤ用ＬＤからの照射光の焦点位置のズレ量を示すフォーカシングエラー信号ＦＥ１（ＤＶＤ）、ＦＥ１（ＣＤ）、及び、ピックアップ装置１で取得された全ての反射光に対応する電気信号の総和である全加算信号ＡＳ１（ＤＶＤ）、ＡＳ１（ＣＤ）がそれぞれ取得される。そして、取得されたフォーカシングエラー信号ＦＥ１（ＤＶＤ）、ＦＥ１（ＣＤ）及び全加算信号ＡＳ１（ＤＶＤ）、ＡＳ１（ＣＤ）に基づいて、再生する対象の光ディスク２の種別が判定される。また、判別された種別に対応するＬＤが照射されて、フォーカスをオンする条件である引き込み条件の設定に必要な信号を取得するべくピックアップ装置１によってサーチ動作が行われ、引き込み条件の設定に必要な信号が取得されたか否かが判定される。更に、引き込み条件の設定に必要な信号が取得されていないと判定された場合に、光ディスク２の種別を判定する際に取得された信号（＝フォーカシングエラー信号ＦＥ１、全加算信号ＡＳ１）に基づいて引き込み条件の設定が行われ、設定された条件に基づいて、再生する対象の光ディスク２が再生されるため、安定的に再生対象である光ディスクの再生を行うことができる。
【００９３】
すなわち、引き込み条件の設定に必要な信号が取得されていない場合であっても、光ディスク２の種別を判定する際に取得された信号（＝フォーカシングエラー信号ＦＥ１、全加算信号ＡＳ１）に基づいて引き込み条件の設定が行われるため、再生する対象の光ディスク２を再生することが可能となるので、安定的に再生対象である光ディスク２の再生を行うことができるのである。
【００９４】
また、光ディスク２の種別を判定する際に取得された全加算信号ＡＳ１の最大値ＡＳｍａｘ１、及び、フォーカシングエラー信号ＦＥ１の最大値ＦＥ１ｍａｘと最小値ＦＥ１ｍｉｎとの差である第１ＦＥ振幅値ＦＥｐｐ１に基づいて引き込み条件が設定されるため、適正な引き込み条件を設定することができる。
【００９５】
すなわち、全加算信号ＡＳがその最大値ＡＳｍａｘ１の１／２の値となった場合、及び、フォーカシングエラー信号ＦＥが略零（＝第１ＦＥ振幅値ＦＥｐｐ１と比較して充分に小さい絶対値）となった場合に、合焦している（図３参照）ため、光ディスク２の種別を判定する際に取得された全加算信号ＡＳ１の最大値ＡＳｍａｘ１及び第１ＦＥ振幅値ＦＥｐｐ１に基づいて、引き込み条件を設定することにより、適正な引き込み条件を設定することができるのである。
【００９６】
更に、引き込み条件として、フォーカシングエラー信号ＦＥが光ディスク２の種別を判定する際に取得された第１ＦＥ振幅値ＦＥｐｐ１の予め設定された所定数倍以上であり、且つ、全加算信号ＡＳが、光ディスク２の種別を判定する際に取得された全加算信号ＡＳ１の最大値ＡＳｍａｘ１の予め設定された第１の所定数倍以上であるとの第１条件と、フォーカシングエラー信号ＦＥが予め設定された所定の閾値未満であり、且つ、全加算信号ＡＳが光ディスク２の種別を判定する際に取得された全加算信号ＡＳ１の最大値ＡＳｍａｘ１の予め設定された、第１の所定数未満の第２の所定数倍以上である第２条件と、が設定されるため、安定的にフォーカスをオンすることができる。
【００９７】
すなわち、フォーカシングエラー信号ＦＥが光ディスク２の種別を判定する際に取得された第１ＦＥ振幅値ＦＥｐｐ１の予め設定された所定数倍（例えば、１／４倍）以上であり、且つ、全加算信号ＡＳが、光ディスク２の種別を判定する際に取得された全加算信号ＡＳ１の最大値ＡＳｍａｘ１の予め設定された第１の所定数倍（例えば、１／２倍）以上であるとの第１条件を満たした後、フォーカシングエラー信号ＦＥが予め設定された所定の閾値（例えば、ゼロ）未満であり、且つ、全加算信号ＡＳが光ディスク２の種別を判定する際に取得された全加算信号ＡＳ１の最大値ＡＳｍａｘ１の予め設定された、第１の所定数未満の第２の所定数倍（例えば、１／３倍）以上である第２条件を満たすとフォーカスをオンすると判定されるため、安定的にフォーカスをオンすることができるのである。
【００９８】
加えて、引き込み条件の設定に必要な信号が取得されていないと判定された場合に、光ディスク２の種別を判定する際に取得された信号（＝フォーカシングエラー信号ＦＥ１、全加算信号ＡＳ１）に基づいて、フォーカシングエラー信号ＦＥの最大値と最小値との絶対値を略一致させるべくゲインが設定されるため、更に安定的に再生対象である光ディスクの再生を行うことができる。
【００９９】
すなわち、引き込み条件の設定に必要な信号が取得されていない場合であっても、光ディスク２の種別を判定する際に取得された信号（＝フォーカシングエラー信号ＦＥ１、全加算信号ＡＳ１）に基づいて、フォーカシングエラー信号ＦＥの最大値と最小値との絶対値を略一致させるべくゲインが設定されるため、フォーカシングエラー信号ＦＥの適正なゲインが設定される（＝フォーカシングエラー信号ＦＥのバランス調整がされる）ので、更に安定的に再生対象である光ディスク２の再生を行うことができるのである。
【０１００】
また、引き込み条件の設定に必要な信号が取得されていないと判定された場合に、光ディスク２の種別を判定する際に取得された信号（＝フォーカシングエラー信号ＦＥ１、全加算信号ＡＳ１）に基づいて、全加算信号ＡＳのゲインが設定されるため、更に安定的に再生対象である光ディスク２の再生を行うことができる。
【０１０１】
すなわち、引き込み条件の設定に必要な信号が取得されていない場合であっても、光ディスク２の種別を判定する際に取得された信号（＝フォーカシングエラー信号ＦＥ１、全加算信号ＡＳ１）に基づいて、全加算信号ＡＳのゲインが設定されるため、全加算信号ＡＳの適正なゲインが設定されるので、更に安定的に再生対象である光ディスクの再生を行うことができるのである。
【０１０２】
更に、光ディスク２の種別を判定する際に取得された全加算信号ＡＳ１の最大値ＡＳｍａｘ１と最小値ＡＳｍｉｎ１との差である第１ＡＳ振幅値ＡＳｐｐ１に基づいて全加算信号ＡＳのゲインが設定されるため、全加算信号ＡＳの適正なゲインを容易に設定することができる。
【０１０３】
加えて、フォーカシングエラー信号ＦＥ２の最大値ＦＥｍａｘ２と最小値ＦＥｍｉｎ２との差である第２ＦＥ振幅値ＦＥｐｐ２が、光ディスク２の種別を判定する際に取得されたフォーカシングエラー信号ＦＥ１の最大値ＦＥｍａｘ１と最小値ＦＥｍｉｎ１との差である第１ＦＥ振幅値ＦＥｐｐ１の予め設定された所定数倍（例えば、１／２倍）以上であるか否かに基づいて、必要な信号が取得されたか否かが判定されるため、必要な信号が取得されたか否かの判定を適正且つ容易に行うことができる。
【０１０４】
また、フォーカシングエラー信号ＦＥ１の最大値ＦＥｍａｘ１と最小値ＦＥｍｉｎ１との差である第１ＦＥ振幅値ＦＥｐｐ１、及び、全加算信号ＡＳ１の最大値ＡＳｍａｘ１と最小値ＡＳｍｉｎ１との差である第１ＡＳ振幅値ＡＳｐｐ１に基づいて、再生する対象の光ディスク２の種別が判定されるため、再生する対象の光ディスク２の種別を容易且つ正確に判定することができる。
【０１０５】
なお、本発明は、以下の形態にも適用可能である。
（Ａ）本実施形態では、ピックアップ装置１が２個の光源（＝ＣＤ用ＬＤ及びＤＶＤ用ＬＤ）を有する場合について説明したが、ピックアップ装置１が３個以上の光源を有する形態でもよい。例えば、ピックアップ装置１がＣＤ用ＬＤ及びＤＶＤ用ＬＤに加えて、ＢＤ（Ｂｌｕ−ｒａｙ  Ｄｉｓｋ）用ＬＤを備える形態でもよい。
【０１０６】
（Ｂ）本実施形態では、ＤＳＰ３２が第１信号取得部３２１、種別判定部３２２、第２信号取得部３２３、信号判定部３２４、設定制御部３２５、引き込み設定部３２６、バランス設定部３２７、ゲイン設定部３２８、及び、再生実行部３２９として機能する場合について説明したが、少なくとも１の機能部が回路によって実現されている形態でもよい。
【０１０７】
（Ｃ）本実施形態では、引き込み設定部３２６が、全加算信号ＡＳ１の最大値ＡＳｍａｘ１及び第１ＦＥ振幅値ＦＥｐｐ１に基づいて引き込み条件を設定する場合について説明したが、引き込み設定部３２６が、その他の方法で引き込み条件を設定する形態でもよい。例えば、引き込み設定部３２６が、全加算信号ＡＳ１の最大値ＡＳｍａｘ１及び第１ＦＥ振幅値ＦＥｐｐ１の一方に基づいて引き込み条件を設定する形態でもよい。
【０１０８】
（Ｄ）本実施形態では、信号判定部３２４が、フォーカシングエラー信号ＦＥ２の第２ＦＥ振幅値ＦＥｐｐ２が第１ＦＥ振幅値ＦＥｐｐ１の所定数倍以上であるか否かに基づいて、必要な信号が取得されたか否かを判定する場合について説明したが、信号判定部３２４が、他の方法で必要な信号が取得されたか否かを判定する形態でもよい。例えば、信号判定部３２４が、予め設定された所定の閾値以上であるか否かに基づいて、必要な信号が取得されたか否かを判定する形態でもよい。
【０１０９】
（Ｅ）本実施形態では、種別判定部３２２が、第１ＦＥ振幅値ＦＥｐｐ１及び第１ＡＳ振幅値ＡＳｐｐ１に基づいて再生する対象の光ディスク２の種別を判定する場合について説明したが、種別判定部３２２が、その他の方法で光ディスク２の種別を判定する形態でもよい。例えば、種別判定部３２２が、第１ＦＥ振幅値ＦＥｐｐ１及び第１ＡＳ振幅値ＡＳｐｐ１の一方に基づいて再生する対象の光ディスク２の種別を判定する形態でもよい。
【産業上の利用可能性】
【０１１０】
本発明の光ディスク再生装置を用いれば、安定的に再生対象である光ディスクの再生を行うことができる。
【図面の簡単な説明】
【０１１１】
【図１】は、本発明に係るディスクプレイヤの一例を示す構成図である。
【図２】は、本発明に係るディスクプレイヤにおける主要部の構成の一例を示す機能構成図である。
【図３】は、フォーカシングエラー信号ＦＥ、全加算信号ＡＳの一例を示すグラフである。
【図４】は、本発明に係るディスクプレイヤの主な動作の一例を示すグラフである。
【図５】は、本発明に係るディスクプレイヤの動作の一例を示すフローチャートである。
【図６】は、図５に示すフローチャートのステップＳ１０３、Ｓ１０７において実行される種別判定用サーチ処理の一例を示す詳細フローチャートである。
【図７】は、図５に示すフローチャートのステップＳ１１５、Ｓ１２１において実行される設定処理の一例を示す詳細フローチャートである。
【符号の説明】
【０１１２】
１００    ディスクプレイヤ（光ディスク再生装置）
１    ピックアップ装置（ピックアップ）
３    出力装置
３１    ＲＦアンプ（第１信号取得手段の一部、第２信号取得手段の一部、再生実行手段の一部）
３２    ＤＳＰ
３２０    パラメータ記憶部（設定制御手段の一部）
３２１    第１信号取得部（第１信号取得手段の一部）
３２２    種別判定部（種別判定手段）
３２３    第２信号取得部（第２信号取得手段の一部）
３２４    信号判定部（信号判定手段）
３２５    設定制御部（設定制御手段の一部）
３２６    引き込み設定部（引き込み設定手段）
３２７    バランス設定部（バランス設定手段）
３２８    ゲイン設定部（ゲイン設定手段）
３２９    再生実行部（再生実行手段の一部）
４    制御装置
４２    ドライバ（第１信号取得手段の一部、第２信号取得手段の一部、再生実行手段の一部）
５    駆動装置
５１    送りモータ（第１信号取得手段の一部、第２信号取得手段の一部、再生実行手段の一部）
５２    スピンドルモータ（再生実行手段の一部）
【図１】
2008165944.tif 000003
【図２】
2008165944.tif 000004
【図３】
2008165944.tif 000005
【図４】
2008165944.tif 000006
【図５】
2008165944.tif 000007
【図６】
2008165944.tif 000008
【図７】
2008165944.tif 000009